(57)【要約】【課題】ファンの側辺に気流をガイドすることができ、ファンによる気流の送り可能な角度を拡大でき、立設式ファンやシーリングファンと結合可能であるファン用導流構造を提供する。【解決手段】ファンに配されるファン用導流構造において、前記ファンのエア吹出面に配され、前記ファンの羽根車の軸心からずれる側辺に位置し、前記エア吹出面から外側に斜めに延び、前記ファンの側辺に気流をガイドする少なくとも一つの導流板１０と、前記ファンに前記導流板を連結する少なくとも一つの連結部２０と、を含む。【選択図】図１
0003165605.tif 000002
【実用新案登録請求の範囲】
【請求項１】
ファンに配されるファン用導流構造において、
前記ファンのエア吹出面に配され、前記ファンの羽根車の軸心からずれる側辺に位置し、前記エア吹出面から外側に斜めに延び、前記ファンの側辺に気流をガイドする少なくとも一つの導流板と、
前記ファンに前記導流板を連結する少なくとも一つの連結部と、を含むことを特徴とする、ファン用導流構造。
【請求項２】
前記導流板は円弧面を有し、前記円弧面により気流が外側にガイドされることを特徴とする、請求項１に記載のファン用導流構造。
【請求項３】
前記ファンが立設式ファンである場合には、前記連結部が二つの係合ブロックであり、二つの前記係合ブロックは、それぞれ前記導流板の両側に連接され、前記立設式ファンの網状蓋に係合されることを特徴とする、請求項１に記載のファン用導流構造。
【請求項４】
前記ファンがシーリングファンである場合には、前記連結部が前記シーリングファンの円形構造体に対応するリング状板であり、前記導流板は、更に、前記連結部から延びる二つの連結ロッドを含み、二つの前記連結ロッドは、前記導流板の両側と、前記ファンの中心の近傍とにそれぞれ連接されることを特徴とする、請求項１に記載のファン用導流構造。
【請求項５】
前記導流板の内縁と二つの前記連結ロッドとから透かし部が形成され、前記連結部は、更に、少なくとも一つの支持ロッドを含み、前記支持ロッドは、二つの前記連結ロッドの間に位置し、前記導流板の内縁と、前記ファンの中心の近傍とにそれぞれ連結されることを特徴とする、請求項４に記載のファン用導流構造。
【請求項６】
前記導流板は扇形状を呈することを特徴とする、請求項４に記載のファン用導流構造。
【請求項７】
前記導流板は二つあり、二つの前記導流板は前記ファンの中心に対して対称にするように前記ファンの両側に配されることを特徴とする、請求項１乃至請求項６の何れか１項に記載のファン用導流構造。
【考案の詳細な説明】
【技術分野】
【０００１】
本考案は、ファン用導流構造に関し、特に、ファンの側辺に気流をガイドすることができるファン用導流構造に関するものである。
【０００２】
立設式ファンやシーリングファンなどの従来のファンは、多数の羽根の回転により気体を流動させる。しかし、気流の方向はファンの軸方向と同じであるため、ファンの両側への気流が少なく、ファンの両側にある熱を有効に発散することができない。また、立設式ファンやシーリングファンなどの従来のファンは、回転角度が規制されるため、室内空間の隅に位置するユーザがファンによる冷風を受けることができない。
【考案の概要】
【考案が解決しようとする課題】
【０００３】
本考案の主な目的は、ファンの側辺に気流をガイドすることができ、ファンによる気流の送り可能な角度を拡大できるファン用導流構造を提供することにある。
【０００４】
本考案の次の目的は、立設式ファンやシーリングファンと結合可能であり、ファンによる気流の送り可能な角度を拡大できるファン用導流構造を提供することにある。
【課題を解決するための手段】
【０００５】
本考案のファン用導流構造によると、ファンに配されるファン用導流構造において、前記ファンのエア吹出面に配され、前記ファンの羽根車の軸心からずれる側辺に位置し、前記エア吹出面から外側に斜めに延び、前記ファンの側辺に気流をガイドする少なくとも一つの導流板と、前記ファンに前記導流板を連結する少なくとも一つの連結部と、を含むことを特徴とする。
【０００６】
本考案のファン用導流構造によると、前記導流板は円弧面を有し、前記円弧面により気流が外側にガイドされることを特徴とする。
【０００７】
本考案のファン用導流構造によると、前記ファンが立設式ファンである場合には、前記連結部が二つの係合ブロックであり、二つの前記係合ブロックは、それぞれ前記導流板の両側に連接され、前記立設式ファンの網状蓋に係合されることを特徴とする。
【０００８】
本考案のファン用導流構造によると、前記ファンがシーリングファンである場合には、前記連結部が前記シーリングファンの円形構造体に対応するリング状板であり、前記導流板は、更に、前記連結部から延びる二つの連結ロッドを含み、二つの前記連結ロッドは、前記導流板の両側と、前記ファンの中心の近傍とにそれぞれ連接されることを特徴とする。
【０００９】
本考案のファン用導流構造によると、前記導流板の内縁と二つの前記連結ロッドとから透かし部が形成され、前記連結部は、更に、少なくとも一つの支持ロッドを含み、前記支持ロッドは、二つの前記連結ロッドの間に位置し、前記導流板の内縁と、前記ファンの中心の近傍とにそれぞれ連結されることを特徴とする。
【００１０】
本考案のファン用導流構造によると、前記導流板は扇形状を呈することを特徴とする。
【００１１】
本考案のファン用導流構造によると、前記導流板は二つあり、二つの前記導流板は前記ファンの中心に対して対称にするように前記ファンの両側に配されることを特徴とする。
【考案の効果】
【００１２】
本考案のファン用導流構造によれば、次のような効果がある。
（１）ファンの側辺に気流をガイドすることができ、ファンによる気流の送り可能な角度を拡大できる。
【００１３】
（２）立設式ファンやシーリングファンと結合可能であり、ファンによる気流の送り可能な角度を拡大できる。
【図面の簡単な説明】
【００１４】
【図１】本考案の実施例１の組合済み状態の斜視図である。
【図２】本考案の実施例１の組合済み状態の正面図である。
【図３】本考案の実施例２の斜視図である。
【図４】本考案の実施例２の一部の側面断面図である。
【考案を実施するための形態】
【００１５】
以下、本考案の実施の形態を図面に基づいて説明する。
【実施例１】
【００１６】
まず、図１及び図２を参照する。本考案のファン用導流構造は、立設式ファンやシーリングファンに結合して利用可能であり、本実施例では、ファン用導流構造が立設式ファンに結合される。
【００１７】
本考案のファン用導流構造は、少なくとも一つの導流板１０と、少なくとも一つの連結部２０と、を含み、本実施例では、導流板１０が二つあり、連結部２０も二つある。
【００１８】
導流板１０は、ファンのエア吹出面に配され、ファンの羽根車の軸心からずれる側辺に位置し、前記エア吹出面から外側に斜めに延び、前記ファンの側辺に気流をガイドする。導流板１０は円弧面を有し、前記円弧面により気流が外側にガイドされることが好ましい。本実施例では、二つの導流板１０が前記ファンの中心に対して対称にするように前記ファンの両側に配される。
【００１９】
連結部２０は、前記ファンに導流板１０を連結するためのものである。本実施例では、連結部２０が二つの係合ブロック２１を含み、二つの係合ブロック２１は、それぞれ導流板１０の両側に連接され、前記ファンの網状蓋１に係合される。このような構成によれば、ユーザはファン用導流構造を迅速に脱着でき、すなわち、本考案のファン用導流構造だけを購入して、市販しているファンに本考案のファン用導流構造を結合すると、ファンの送風角度を拡大できる。
【実施例２】
【００２０】
図３及び図４を参照する。シーリングファンに結合して利用するファン用導流構造は、扇形状を呈する少なくとも一つの導流板１０を含み、具体的には、導流板１０は二つあることが好ましい。扇形状を呈する二つの導流板１０の上端には、シーリングファンの導流板１０と結合する箇所の形状に対応する連結部２０が形成される。連結部２０は、図４に示すように、シーリングファンの下にある円形構造体に合せ可能な環状板であるが、もちろん、シーリングファンの導流板１０と結合する箇所の形状に応じて適当に変更することができる。連結部２０は、シーリングファンの下にある円形構造体に合せ可能な環状板であり、導流板１０を有し、導流板１０がシーリングファンに対して３６０度に旋回して調整可能である。
【００２１】
扇形状を呈する二つの導流板１０は、連結部２０を介してシーリングファンと結合し、シーリングファンの中心に対して対称にするようにシーリングファンの両側に配される。各導流板１０は、更に、連結部２０から延びる二つの連結ロッド２２と、少なくとも一つの支持ロッド２３と、を含む。二つの連結ロッド２２は、導流板１０の両側と、前記ファンの中心の近傍とにそれぞれ連接される。導流板１０の内縁と二つの連結ロッド２２との間に透かし部２４を形成してもよく、そうすると、シーリングファンの軸心に沿う気流は直進できる。支持ロッド２３は、二つの連結ロッド２２の間に位置し、導流板１０の内縁と、シーリングファンの中心の近傍とにそれぞれ連結され、これにより、導流板１０の構造強度を増加でき、シーリングファンによる気流に吹かれても、本考案のファン用導流構造は大幅に揺れることがない。
【００２２】
なお、本考案は前記実施の形態に限定されるものではなく、本考案の趣旨に基づいて種々変形させることが可能であり、それらを本考案の実用新案登録請求の範囲から排除するものではない。
【産業上の利用可能性】
【００２３】
本考案は、ファンに適用することができる。
【符号の説明】
【００２４】
１：網状蓋
１０：導流板
２０：連結部
２１：係合ブロック
２２：連結ロッド
２３：支持ロッド
２４：透かし部
【図１】
0003165605.tif 000003
【図２】
0003165605.tif 000004
【図３】
0003165605.tif 000005
【図４】
0003165605.tif 000006